(57)【要約】【課題】組立が容易で、組み立て後のバスケットが逸脱することを抑制可能な脱水桶を提供する。【解決手段】脱水桶１００は、桶体１０、バスケット２０、軸座３０、支持軸５０および固定ユニット４０を備える。桶体１０は頂面に形成された開口部１１と、底面１２から内部に突起して形成された突起座１３と、を有する。支持軸５０は突起座１３上に直立して固定される。バスケット２０は周囲および底面に複数の脱水孔２２を有する。固定ユニット４０は、固定面が軸座３０内部の係止空間に位置し、支持軸５０上にバスケット２０を装着するように広がる。これにより、バスケット２０が回転する際、固定ユニット４０の固定面によってバスケット２０が逸脱することを抑制する。【選択図】  図４Ａ
0003158513.tif 000002
【実用新案登録請求の範囲】
【請求項１】
頂面に形成された開口部と底面から内部に突起して形成された突起座とを有する桶体と、
金属から構成され、下段部が突起座内に被覆及び固定され、かつ上段部が突起座の頂面に突出して形成された連結段を有し、連結段は中間位置に環状陥没溝を有する支持軸と、
弾性及び可撓性材質から構成され、本体の上段部が直径を下へ漸増させた円錐体に形成され、中央に軸孔を有し、軸孔は支持軸の環状陥没溝の外径に対応するように設けられ、かつ支持軸の環状陥没溝に被さるため、円錐体の底部に支持軸の外径に突出する固定面が形成される固定ユニットと、
プラスチック射出成形によって構成され、周囲および底面に数多くの脱水孔を有し、底部の中央に受動回転座を有するバスケットと、を備え、
受動回転座を成形する際、受動回転座の底部の中央に開口部が下向きの非金属製軸座を設け、軸座は下軸スリーブおよび上軸スリーブが合わさることによって構成され、中段部の内縁部に直径の比較的大きい係止空間を有し、上軸スリーブは先端内側にストッパー面を有し、バスケットを組み立てる際、支持軸の連結段に受動回転座を被せ、下軸スリーブを押し詰め、このとき下軸スリーブは固定ユニットを通過し、固定ユニットによって原状に復した固定面は、係止空間に位置付けられて広がるため、バスケットが支持軸上を回転する際、逸脱が発生することを防止し、かつ上軸スリーブのストッパー面が支持軸の先端部に密着することによって旋転軸心を生成させ、かつバスケット全体の接触点を旋転軸心に集中させることによって軸座と支持軸との間の摩擦抵抗力を低減し、旋転をスムーズにすることが可能であることを特徴とする脱水桶。
【請求項２】
軸座の上軸スリーブおよび下軸スリーブは、強化プラスチックから構成され、
下軸スリーブは下管部、第一キャップおよび階段状面を有し、第一キャップは下管部の上方に連接され、内径が比較的大きい上向きの開口部を有し、階段状面は第一キャップの底部と下管部の外周面との間に形成され、
上軸スリーブは、上管部および第二キャップを有し、上管部は下向きの開口部と、頂面を密閉して形成されたストッパー面とを有し、第二キャップは上管部の下方に接続され、内径が比較的大きい下向きの開口部を有し、かつ第二キャップと第一キャップとは合わさり、一体に結合し、その間に上管部と下管部の内径より大きい係止空間が形成されることを特徴とする請求項１に記載の脱水桶。
【請求項３】
第一キャップは内周面に一つ以上の軸方向のリブを有し、第二キャップは外周面に軸方向のリブに対応する軸方向の陥没溝を有するため、第一キャップと第二キャップとを緊密に嵌め合わせ固定可能であることを特徴とする請求項２に記載の脱水桶。
【請求項４】
支持軸は中段部位に円錐環状体を有し、円錐環状体は下段部が突起座内に被覆され、かつ上段部が突起座の頂面に突出することを特徴とする請求項１に記載の脱水桶。
【請求項５】
固定ユニットは、ゴム材質から構成されることを特徴とする請求項１に記載の脱水桶。
【請求項６】
受動回転座は、突起状を呈し、バスケットの内側底面の中央に突出して形成され、かつその内部に耐磨耗スリーブを有することを特徴とする請求項１に記載の脱水桶。
【請求項７】
桶体の開口部は、両側の中段部に内側へ縮小して数字の８の形が形成された弧状を有することを特徴とする請求項１に記載の脱水桶。
【請求項８】
桶体の支持力を増加させるために、桶体は底部に円弧状突起面を有することを特徴とする請求項１に記載の脱水桶。
【請求項９】
桶体は、両側の上方に取手との連結に用いる一対の耳部を有することを特徴とする請求項１に記載の脱水桶。
【請求項１０】
桶体は、積み重ねが可能であるように、突起座の底面がラッパ状の開口部を呈することを特徴とする請求項１に記載の脱水桶。
【考案の詳細な説明】
【技術分野】
【０００１】
本考案は、脱水桶に関する。
【背景技術】
【０００２】
モップは床掃除に用いる道具の一つである。従来の脱水桶はモップに付着した余分な水分を取り去るのに用いる道具である。従来の脱水桶は、モップ上の毛糸を絞り、毛糸の水分を取り去る。台湾実用新案登録第Ｍ３３８６３４号は、桶体、装置部および回転機構を備え、回転機構は装着ユニット、回転軸、伝動ユニットおよびレバーを有する。該案は装着ユニット、回転軸、伝動ユニットおよびレバーとの間の交互作動によって回転機構を回転させ、モップの脱水を行なう。
【０００３】
しかしながら、このような脱水桶の回転機構を組み立てるためには、部品を多く使用する必要があり、部品の消耗が原因で脱水桶の使用寿命を短縮するという欠点がある。
また、このような脱水桶は、構成が複雑であり組立が難しいだけでなく、片方の足で踏み込む必要があるため、使用者がバランスを崩して転んで怪我してしまうという事態を招く虞がある。
【０００４】
さらにまた、このような脱水桶を出荷する際、内部のユニットの組立を完了しなければならないため、積み重ねて運送することはできない。体積が相対的に大きい脱水桶を運送するとなると運送コストが高くなるため、消費者側にも製造側にも不利なこととなる。
【０００５】
また、従来の脱水桶は、モップの毛糸の水分を取り去るために桶体内に回転可能なバスケットを装着し、かつバスケットをスムーズに回転させるために従来の方法によって市販の軸受を使用する。
しかしながら、脱水桶が水に濡れることにより軸受には腐食が起こりやすいため、使用寿命が問題になる。また、軸受が装着されたバスケットの着脱は容易ではない。従って改善の余地がある。
【先行技術文献】
【特許文献】
【０００６】
【特許文献１】台湾実用新案登録第Ｍ３３８６３４号
【考案の概要】
【考案が解決しようとする課題】
【０００７】
本考案の主な目的は、自分で作ること（ＤＩＹ）が容易で、組み立て後のバスケットを逸脱させないことが可能な、使用上の安全性が高い、脱水桶を提供することにある。
本考案のもう一つの目的は、構造が簡単でコストが低いだけでなく、バスケットが無軸受バスケットであるためスムーズな回転を確保し、使用寿命を延ばすことを可能にする、脱水桶を提供することである。
本考案のもう一つの目的は、保管および運送の際に場所を取らず積み重ねが可能で、運賃の削減が可能な、脱水桶を提供することである。
【課題を解決するための手段】
【０００８】
上述の目的を達成するために、本考案による脱水桶は、桶体、支持軸、固定ユニット、およびバスケットを備える。
桶体は、頂面に形成された開口部と、底面から内部に突起して形成された突起座と、を有する。
支持軸は、金属から構成され、下段部が突起座内に被覆及び固定され、かつ上段部が突起座の頂面に突出して形成された連結段を有する。連結段は中間位置に環状陥没溝を有する。
【０００９】
固定ユニットは、弾性及び可撓性材質から構成され、本体の上段部が直径を下へ漸増させた円錐体に形成され、中央に軸孔を有する。軸孔は支持軸の環状陥没溝の外径に対応するように設けられ、かつ支持軸の環状陥没溝に被さるため、円錐体の底部に支持軸の外径に突出する固定面が形成される。
【００１０】
バスケットは、プラスチック射出成形によって構成され、周囲および底面に数多くの脱水孔を有し、底部の中央に受動回転座を有する。
受動回転座を成形する際、受動回転座の底部の中央に開口部が下向きの非金属製軸座を設ける。軸座は下軸スリーブおよび上軸スリーブが合わさることによって構成され、中段部の内縁部に直径の比較的大きい係止空間を有する。上軸スリーブは先端内側にストッパー面を有する。
【００１１】
バスケットを組み立てる際、支持軸の連結段に受動回転座を被せ、下軸スリーブを押し詰める。このとき下軸スリーブは固定ユニットを通過し、固定ユニットによって原状に復した固定面は、係止空間に位置付けられて広がるため、バスケットが支持軸上を回転する際、逸脱が発生することを防止することができる。また、上軸スリーブのストッパー面が支持軸の先端部に密着することによって旋転軸心を生成させ、かつバスケット全体の接触点を旋転軸心に集中させることによって軸座と支持軸との間の摩擦抵抗力を低減し、旋転をスムーズにすることができる。
【００１２】
本考案による脱水桶は、主動の回転装置が配置されず、外部のモップが回転することによって脱水作業の補助を行なうことを可能にする道具である。
本考案による脱水桶は、使用者が手で持つための取手をさらに有する。桶体の開口部は数字の８の形を呈する。桶体は底部に桶体の支持力を増強するのに用いる円弧状突起面を有する。従って、回転ユニットが回転する際、脱水桶を振動させるという現象は発生しない。また、本考案による脱水桶は、足で踏み込むことなく脱水を行うことができる。
【図面の簡単な説明】
【００１３】
【図１】本考案の一実施形態を示す斜視図。
【図２】本考案の一実施形態を示す分解斜視図。
【図３Ａ】本考案の一実施形態において支持軸に固定ユニットを取り付ける過程を説明する説明図。
【図３Ｂ】本考案の一実施形態において支持軸に固定ユニットを取り付ける過程を説明する説明図。
【図４Ａ】本考案の一実施形態において着脱が完了した状態の断面を示す模式図。
【図４Ｂ】本考案の一実施形態において着脱が完了した状態の断面を示す模式図。
【図５】図４Ａの拡大図。
【図６】図４Ｂの符号６で表記された部位の拡大図。
【図７】本考案の一実施形態とモップとを分離させた状態を示す斜視図。
【図８】本考案の一実施形態がモップに使用された状態を示す斜視図。
【図９】本考案の一実施形態において取手が付加された状態を示す模式図。
【図１０】本考案の一実施形態において桶体とバスケットとが積み重ねられた状態を示す模式図。
【考案を実施するための形態】
【００１４】
以下、本考案による脱水桶を図面に基づいて説明する。
（一実施形態）
図１から図６に示すように、本考案の一実施形態による脱水桶１００は、桶体１０、バスケット２０、軸座３０、支持軸５０および固定ユニット４０を備える。桶体１０は頂面に形成された開口部１１と、底面１２から内部に突起して形成された突起座１３と、を有する。支持軸５０は突起座１３上に直立して固定される。バスケット２０は周囲および底面に複数の脱水孔２２を有する。
【００１５】
突起座１３の高さは、桶体１０の深度および需要に応じて調整することが可能である。特に突起座１３の高さが桶体内に注入された所要水量の水平面に一致するかあるいはそれより高いほうが好ましい。支持軸５０は突起座１３内に嵌合されることが可能である。図４Ａに示すように、突起座１３は頂面１３１が平面を呈する。本実施形態は、突起座１３の底面１２をラッパ状の開口部に設けるため、図１０に示すように積み重ねることが可能である。
【００１６】
図３Ａ、図３Ｂおよび図４Ａ、図４Ｂに示すように、支持軸５０は、下段部５１が突起座１３内に被覆及び固定され、かつ上段部が突起座１３の頂面１３１に突出して形成された連結段５２を有する。連結段５２は中間位置に環状陥没溝５２１を有する。
固定ユニット４０は、弾性材質または可撓性材質から構成され、本体４１の上段部が直径を下へ漸増させた円錐体４２に形成され、中央に軸孔４３を有する。軸孔４３は環状陥没溝５２１の外径に対応するように設けられ、かつ環状陥没溝５２１に被さるため、円錐体４２の底部に支持軸５０の外径に突出する固定面４２１が形成される。つまり、固定ユニット４０は材質が弾性及び可撓性を有するため、拡張によって環状陥没溝５２１に被さる際、逸脱が発生しない。本実施形態において、固定ユニット４０はゴムから構成されるが、これに限らない。
【００１７】
バスケット２０は、プラスチック射出成形によって構成され、底部の中央に受動回転座２１を有する。受動回転座２１を成形する際、受動回転座２１の底部の中央に開口部が下向きの非金属製軸座３０を設ける。図３Ａ、図３Ｂ、図５および図６に示すように軸座３０は下軸スリーブ３０ａおよび上軸スリーブ３０ｂが合わさることによって構成され、中段部の内縁部に直径の比較的大きい係止空間３６を有する。上軸スリーブ３０ｂは先端内側にストッパー面３７１を有する。バスケット２０を組み立てる際、支持軸５０の連結段５２の上に受動回転座２１を被せ、下軸スリーブ３０ａを押し詰める。
【００１８】
このとき下軸スリーブ３０ａは固定ユニット４０を通過し、固定ユニット４０によって原状に復した固定面４２１は、係止空間３６に位置付けられて広がるため、バスケット２０が支持軸５０上を回転する際、逸脱が発生することを防止することが可能である。かつ上軸スリーブ３０ｂのストッパー面３７１が支持軸５０の先端部５２２に密着することによって旋転軸心を生成させ、かつバスケット２０全体の接触点を旋転軸心に集中させることによって軸座３０と支持軸５０との間の摩擦抵抗力を低減し、旋転をスムーズにすることが可能である。
【００１９】
本実施形態において、軸座３０は、強化プラスチックから構成される。下軸スリーブ３０ａは下管部３１、第一キャップ３２および階段状面３３を有する。第一キャップ３２は下管部３１の上方に連接され、内径が比較的大きい上向きの開口部を有する。階段状面３３は第一キャップ３２の底部と下管部３１の外周面との間に形成される。
【００２０】
上軸スリーブ３０ｂは上管部３７および第二キャップ３５を有する。上管部３７は下向きの開口部と、頂面を密閉して形成されたストッパー面３７１とを有する。第二キャップ３５は上管部３７の下方に連接され、内径が比較的大きい下向きの開口部を有する。第二キャップ３５と第一キャップ３２とは合わさり、一体に結合し、その間に上管部３７と下管部３１の内径より大きい係止空間３６が形成される。
【００２１】
第一キャップ３２は内周面に一つ以上の軸方向のリブ３４を有し、第二キャップ３５は外周面に軸方向のリブ３４に対応する軸方向の陥没溝３８を有するため、第一キャップ３２と第二キャップ３５とを緊密に嵌め合わせ、固定することが可能である。
【００２２】
本考案の特徴は次のとおりである。
バスケット２０が出荷される際、バスケット２０と桶体１０とが分離するため、図１０に示すように、バスケット２０と桶体１０を積み重ねることによって保管および運送の便をはかることが可能である。
【００２３】
バスケット２０と桶体１０が消費者の手元に届いたとき、消費者は自ら組み立てる方式（ＤＩＹ）によって支持軸５０の連結段５２にバスケット２０の受動回転座２１を簡単に被せることが可能である。このとき軸座３０は内径が支持軸５０にほぼ等しいが、固定ユニット４０の円錐体４２の固定面４２１より小さい。円錐体４２は斜面を有し、材質が弾性を有するため、軸座３０の下軸スリーブ３０ａは円錐体４２の斜面から嵌め込まれながら、円錐体４２を圧縮することによって固定ユニット４０を通過することが可能である。
【００２４】
そののち固定ユニット４０は原状に復し、固定面４２１が軸座３０内部の係止空間３６に位置して広がることが可能であるため、支持軸５０上にバスケット２０を簡単に装着することが可能となるだけでなく、バスケット２０が回転する際、固定面４２１の制限によってバスケット２０を逸脱させないことが可能となる。
従って、安全性と安定性が非常に高い。
【００２５】
また、軸座３０は受動回転座２１内に覆われ一体成形されるため、逸脱が発生しない。
最も重要な要素は、軸座３０の構造が市販の軸座と異なり、特殊に設計されたことである。軸座３０は係止空間３６によって支持軸５０上の固定ユニット４０とスムーズに結合し、かつバスケット２０が回転する際、ストッパー面３７１によって支持軸５０の先端部５２２に接触するため、摩擦抵抗力が非常に低い。かつ軸座３０は非金属製であるため、腐食が発生しないだけでなく、使用寿命を延ばし、回転をスムーズにすることが可能である。
【００２６】
図５および図６に示すように、支持軸５０は中段部位に円錐環状体５３を有する。円錐環状体５３は、下段部が突起座１３内に被覆され、かつ上段部が突起座１３の頂面１３１に突出するため、軸座３０を支持し、回転させることが可能である。かつ円錐環状体５３は、支持軸５０が突起座１３から逸脱することを防止することが可能である。
【００２７】
図７および図８は、本考案がモップ２００に適用された状態を示す模式図である。モップ２００は、外筒体２０１、内筒体２０２、内筒体２０２の底部に装着されるヘッド部２０３および毛糸２０４を備える。毛糸２０４の水分を取り去る場合、ヘッド部２０３および毛糸２０４をバスケット２０中に置いて外筒体２０１を介して内筒体２０２を回転させることによってヘッド部２０３および毛糸２０４を連動させる。このとき自由状態を呈するバスケット２０は駆動され、かつ底部に配置される軸座３０によってスムーズに回転することが可能であるため、遠心力によって毛糸２０４の水分を脱水孔２２から放散することが可能となる。
【００２８】
図８に示すように、本考案における開口部１１は、両側の中段部に内側へ縮小して数字８の形が形成された弧状１７を有する。モップ２００を脱水し、遠心力によって毛糸２０４の水滴を切線方向に沿って放散する際、水滴の進行方向は開口部１１の中段部の内側の弧状１７に衝突するため、水滴は桶体１０の内側壁に沿って落下する。このような弧状１７の設計は水滴を外部に飛ばし、使用者または地面を濡らすという現象を防止することができる。
【００２９】
図９に示すように、本考案による脱水桶１００は、使用の便をはかるため、桶体１０の両側の上方に取手１６との連結に用いる一対の耳部１５を配置することが可能である。かつ桶体１０の支持力を増加させるため、桶体１０の底部１２に円弧状突起面１４を配置することが可能である。従って、回転ユニット３０が回転する際、脱水桶１００を振動させるという現象は発生しない。
【００３０】
本考案による脱水桶１００は足で踏み込むことによってモップを絞る必要がないため、長期にわたって使用する使用者にとって、脱水桶１００を使用する際の危険性を確実に低減させることができる。
また、本考案における支持軸５０は、下段部５１が突起座１３内に被覆・固定されるため、回転できない。従って、桶体１０の内部の水は支持軸５０の位置から漏出することが発生しない。
【００３１】
本考案による脱水桶１００は、軸座３０によってバスケット２０を自由回転させ、かつ構造の設計が簡単化されるため、長期にわたって使用されても損耗を生じない。
また、運送の際に完成品の状態で運送する必要がないため、図１０に示すように出荷の際に桶体１０およびバスケット２０を積み重ねて運送し、使用の際に使用者が自ら組み立てること（ＤＩＹ）ができる。そして、使用者にとって経済的負担を減少させ、製造業者にとってコストの削減を実現させることができる。
さらにまた、本考案は、予め装着された固定ユニットによって、ＤＩＹ方式で組み立てられたバスケットを逸脱させないため、使用上の安全性を有する。従って、本考案は使用者および製造者の利益になると考えられる。
【符号の説明】
【００３２】
１０：桶体、１００：脱水桶、１１：開口部、１２：底面、１３：突起座、１３１：頂面、１４：円弧状突起面、１５：耳部、１６：取手、１７：弧形、２０：バスケット、２００：モップ、２０１：外筒体、２０２：内筒体、２０３：ヘッド部、２０４：毛糸、２１：受動回転座、２２：脱水孔、３０：軸座、３０ａ：下軸スリーブ、３０ｂ：上軸スリーブ、３１：下管部、３２：第一キャップ、３３：階段状面、３４：軸方向のリブ、３５：第二キャップ、３６：係止空間、３７：上管部、３７１：ストッパー面、３８：軸方向の陥没溝、４０：固定ユニット、４１：本体、４２：円錐体、４２１：固定面、４３：軸孔、５０：支持軸、５１：下段部、５２：連結段、５２１：環状陥没溝、５２２：先端部、５３：円錐環状体
【図１】
0003158513.tif 000003
【図２】
0003158513.tif 000004
【図３Ａ】
0003158513.tif 000005
【図３Ｂ】
0003158513.tif 000006
【図４Ａ】
0003158513.tif 000007
【図４Ｂ】
0003158513.tif 000008
【図５】
0003158513.tif 000009
【図６】
0003158513.tif 000010
【図７】
0003158513.tif 000011
【図８】
0003158513.tif 000012
【図９】
0003158513.tif 000013
【図１０】
0003158513.tif 000014